(57)【要約】      （修正有）【課題】通気性に優れてシールドが曇りづらくなると共にシールドを簡単かつ迅速に取り付けることができるシールド付防塵フードを提供する。【解決手段】シールド付防塵フード１０はフード体１２のフード本体部１６の正面にはシールド用開口部１８が形成されている。このシールド用開口部１８の周辺部にはシールド１４を保持するシールド保持部２０が形成されている。このシールド保持部２０はシールド用開口部１８の周辺部裏側に矩形枠状のシールド保持部形成体２２を配設すると共にシールド保持部形成体２２の四辺をフード本体部１６に縫着することにより形成されている。前記フード本体部１６の着用者の口元に対応する部分には口元対応開口部２４が形成され、この口元対応開口部２４には口元対応メッシュ体２６が設けられている。【選択図】図１
0003157830.tif 000002
【実用新案登録請求の範囲】
【請求項１】
フード体と透明なシールドとを備えてなるシールド付防塵フードであって、前記フード体を構成すると共に着用者の頭部を覆うように形成されたフード本体部と、このフード本体部の正面に形成されたシールド用開口部と、このシールド用開口部の周辺部に設けられると共に前記シールドの周縁部が収容されることによりシールドを保持するシールド保持部と、前記フード本体部の正面であって着用者の口元に対応するように形成された口元対応開口部と、この口元対応開口部を塞ぐように設けられた口元対応メッシュ体と、を有することを特徴とするシールド付防塵フード。
【請求項２】
フード体と透明なシールドとを備えてなるシールド付防塵フードであって、前記フード体を構成すると共に着用者の頭部を覆うように形成されたフード本体部と、このフード本体部の正面に形成されたシールド用開口部と、このシールド用開口部の周辺部に設けられると共に四辺が前記フード本体部と結合した矩形枠状のシールド保持部形成体と、前記フード本体部とシールド保持部形成体の間に設けられると共にシールドの周縁部が収容されるシールド保持部と、前記フード本体部の正面であって着用者の口元に対応する部分に形成された口元対応開口部と、この口元対応開口部を塞ぐように設けられた口元対応メッシュ体と、を有することを特徴とするシールド付防塵フード。
【請求項３】
フード体と透明なシールドとを備えてなるシールド付防塵フードであって、前記フード体を構成すると共に着用者の頭部を覆うように形成されたフード本体部と、このフード本体部の正面に形成されたシールド用開口部と、このシールド用開口部の周辺部裏側に設けられると共に四辺が前記フード本体部と結合した矩形枠状のシールド保持部形成体と、前記フード本体部とシールド保持部形成体の間に形成されると共に前記シールドの周縁部が収容されるシールド保持部と、前記フード本体部の正面であって着用者の口元に対応する部分に形成された口元対応開口部と、この口元対応開口部を塞ぐように設けられた口元対応メッシュ体と、を有することを特徴とするシールド付防塵フード。
【請求項４】
フード体と透明なシールドとを備えてなるシールド付防塵フードであって、前記フード体を構成すると共に着用者の頭部を覆うように形成されたフード本体部と、このフード本体部の正面に形成されたシールド用開口部と、このシールド用開口部の周辺部裏側に設けられると共に四辺が前記フード本体部と結合した矩形枠状のシールド保持部形成体と、前記フード本体部とシールド保持部形成体の間に形成されると共に前記シールドの周縁部が収容されるシールド保持部と、前記フード本体部の正面であって着用者の口元に対応するように形成された口元対応開口部と、この口元対応開口部を塞ぐように設けられた口元対応メッシュ体と、前記フード本体部の正面であって前記シールド用開口部の上方に形成された上部開口部と、この上部開口部を塞ぐように設けられた上部開口対応メッシュ体と、を有することを特徴とするシールド付防塵フード。
【考案の詳細な説明】
【技術分野】
【０００１】
本考案は、主に医薬、医療機器、半導体、食品等の製造工場等で作業する場合に作業者が着用するシールド付防塵フードに関し、詳しくは通気性に優れると共にシールドが曇ることがないシールド付防塵フードに関する。
【背景技術】
【０００２】
一般に医薬、医療機器、電子部品、半導体、食品等の製造工場等では製造工場内のクリーンさを保つために作業を行う作業者は防塵フードを着用している。
作業者が防塵フードを着用することにより作業者の頭部はフード部に覆われるので髪の毛等が抜けても抜けた髪の毛等が防塵フードの外部に落下したり飛散したりすることを防止できるようになっている。
しかし、防塵フードの正面には着用者の目元周辺部や口元周辺部が露出できるように開口部が形成されている。
このため、従来の防塵フードにおいては抜けた髪の毛等が防塵フードの外部に落下したり飛散したりすることを防止することは可能であるが、作業中に前記開口部を通して作業者の抜けた眉毛、睫毛、鼻毛等が防塵フードの外部に落下したり飛散したりしてしまうおそれがあるという不具合がある。
そこで、クリーンさが厳しく要求される製造工場等で使用する防塵フードとしてマスク部が設けられた防塵フードが提案されている（特許文献１）。
このマスク部を設けた防塵フードはフード部とマスク部で抜けた髪の毛や鼻毛等が防塵フードの外部に落下したり飛散したりすることを防止することは可能であるが、抜けた眉毛や睫毛等が防塵フードの外部に落下したり飛散したりすることを防止することは困難である。
【先行技術文献】
【特許文献】
【０００３】
【特許文献１】特開平１０−１５５９２４号公報  そこで、出願人は抜けた眉毛や睫毛等が防塵フードの外部に落下したり飛散したりすることを防止することができるようにシールドとマスクを着脱可能に設けたシールド付防塵フードを提案した（特願２００９−１４６５０６）。  しかし、シールドと共にマスクを一緒に設けると着用者によっては息苦しく感じたり、あるいは着用者の呼吸等の影響によってシールドが曇ったりしてしまい、これにより作業効率が低下するという不具合がある。  さらに、前記シールド付防塵マスクはシールドをフード本体部に固定されたボタンにシールドに固定されたボタンを嵌めることによりフード本体部に取り付けているが、フード本体部を洗濯等することによりフード本体部が縮んでフード本体部のボタンの位置がずれてシールドをフード本体部に取り付けにくくなるという不具合がある。
【考案の概要】
【考案が解決しようとする課題】
【０００４】
本考案は、上記事実に鑑みなされたものであり、通気性に優れてシールドが曇りづらくなると共にシールドを簡単かつ迅速に取り付けることができるシールド付防塵フードを提供するものである。
【課題を解決するための手段】
【０００５】
請求項１の考案は、フード体と透明なシールドとを備えてなるシールド付防塵フードであって、前記フード体を構成すると共に着用者の頭部を覆うように形成されたフード本体部と、このフード本体部の正面に形成されたシールド用開口部と、このシールド用開口部の周辺部に設けられると共に前記シールドの周縁部が収容されることによりシールドを保持するシールド保持部と、前記フード本体部の正面であって着用者の口元に対応するように形成された口元対応開口部と、この口元対応開口部を塞ぐように設けられた口元対応メッシュ体と、を有することを特徴としている。
請求項２の考案は、フード体と透明なシールドとを備えてなるシールド付防塵フードであって、前記フード体を構成すると共に着用者の頭部を覆うように形成されたフード本体部と、このフード本体部の正面に形成されたシールド用開口部と、このシールド用開口部の周辺部に設けられると共に四辺が前記フード本体部と結合した矩形枠状のシールド保持部形成体と、前記フード本体部とシールド保持部形成体の間に設けられると共にシールドの周縁部が収容されるシールド保持部と、前記フード本体部の正面であって着用者の口元に対応する部分に形成された口元対応開口部と、この口元対応開口部を塞ぐように設けられた口元対応メッシュ体と、を有することを特徴としている。
請求項３の考案は、フード体と透明なシールドとを備えてなるシールド付防塵フードであって、前記フード体を構成すると共に着用者の頭部を覆うように形成されたフード本体部と、このフード本体部の正面に形成されたシールド用開口部と、このシールド用開口部の周辺部裏側に設けられると共に四辺が前記フード本体部と結合した矩形枠状のシールド保持部形成体と、前記フード本体部とシールド保持部形成体の間に形成されると共に前記シールドの周縁部が収容されるシールド保持部と、前記フード本体部の正面であって着用者の口元に対応する部分に形成された口元対応開口部と、この口元対応開口部を塞ぐように設けられた口元対応メッシュ体と、を有することを特徴としている。
請求項４の考案は、フード体と透明なシールドとを備えてなるシールド付防塵フードであって、前記フード体を構成すると共に着用者の頭部を覆うように形成されたフード本体部と、このフード本体部の正面に形成されたシールド用開口部と、このシールド用開口部の周辺部裏側に設けられると共に四辺が前記フード本体部と結合した矩形枠状のシールド保持部形成体と、前記フード本体部とシールド保持部形成体の間に形成されると共に前記シールドの周縁部が収容されるシールド保持部と、前記フード本体部の正面であって着用者の口元に対応するように形成された口元対応開口部と、この口元対応開口部を塞ぐように設けられた口元対応メッシュ体と、前記フード本体部の正面であって前記シールド用開口部の上方に形成された上部開口部と、この上部開口部を塞ぐように設けられた上部開口対応メッシュ体と、を有することを特徴としている。
【考案の効果】
【０００６】
本考案のシールド付防塵フードは、通気性に優れているので息苦しくないという優れた効果を有する。
本考案のシールド付防塵フードは、シールドが曇ることを防止することができるという優れた効果を有する。
さらに、本考案のシールド付防塵フードは、フード体を洗濯等することによりフード体が少し縮んだりしてもシールドをフード体に簡単かつ迅速に取り付けることができるという優れた効果を有する。
【図面の簡単な説明】
【０００７】
【図１】第１実施例のシールド付防塵フードの全体斜視図である。
【図２】第１実施例のシールド付防塵フードの正面図である。
【図３】第１実施例のシールド付防塵フードの一部正面拡大図である。
【図４】第１実施例のシールド付防塵フードのフード体にシールドを収容する状態図である。
【図５】第２実施例のシールド付防塵フードの全体斜視図である。
【考案を実施するための形態】
【０００８】
考案を実施するために最良の形態の例として以下のような実施例を示す。
【実施例１】
【０００９】
図１〜図４には本考案に係るシールド付防塵フードの第１実施例が示されている。
図１及び図２に示されるように実施例のシールド付防塵フード１０はフード体１２とシールド１４と、から構成されている。
このフード体１２のフード本体部１６は着用者（図示せず）の頭部を完全に覆うよう形成されている。このフード本体部１６の正面であって着用者の目元周辺部に対応する部分には正面視矩形状のシールド用開口部１８が切り欠き形成されている。このシールド用開口部１８には前記シールド１４が対応して配設されるようになっている。前記シールド１４はシート状の無色透明な弾力性のある薄い板状の合成樹脂材で形成されている。従って、シールド用開口部１８にシールド１４が対応して配設されても着用者は視界を遮られるようなことはないようになっている。
図３に示されるように、前記シールド用開口部１８の周辺部にはシールド用開口部１８に配設される前記シールド１４を保持するシールド保持部２０が形成されている。このシールド保持部２０は前記シールド用開口部１８の周辺部裏側に矩形枠状のシールド保持部形成体２２を配設すると共にシールド保持部形成体２２の四辺をフード本体部１６にミシンで縫着することにより形成されている。
即ち、シールド保持部形成体２２の上辺部２２Ａを前記フード本体部１６と縫着することによりフード本体部１６とシールド保持部形成体２２によってシールド上縁収容保持部２０Ａが形成され、シールド保持部形成体２２の下辺部２２Ｂを前記フード本体部１６と縫着することによりフード本体部１６とシールド保持部形成体２２によってシールド下縁収容保持部２０Ｂが形成されている。また、シールド保持部形成体２２の一側辺部２２Ｃを前記フード本体部１６と縫着することによりフード本体部１６とシールド保持部形成体２２によってシールド一側縁収容保持部２０Ｃが形成され、シールド保持部形成体２２の他側辺部２２Ｄを前記フード本体部１６と縫着することによりフード本体部１６とシールド保持部形成体２２によってシールド他側縁収容保持部２０Ｄが形成されている。
これにより、図３に示されるように前記シールド１４の上縁部１４Ａは前記シールド保持部２０のシールド上縁収容保持部２０Ａに、下縁部１４Ｂはシールド下縁収容保持部２０Ｂに、一側縁部１４Ｃはシールド一側縁収容保持部２０Ｃに、他側縁部１４Ｄはシールド他側縁収容保持部２０Ｄに、それぞれ着脱可能に収容されるようになっている。
図１及び図２に示されるように、前記フード本体部１６の正面であって着用者の口元に対応する部分には口元対応開口部２４が切り欠き形成されている。この口元対応開口部２４には口元対応開口部２４を塞ぐように口元対応メッシュ体２６が設けられている。
前記口元対応開口部２４を設けることにより口や鼻穴から出る息や呼吸のために吸い込む空気は口元対応開口部２４から排出されたり取り込まれるので着用者は息苦しくなったり、前記シールド１４が曇ったりするようなことはない。
また、前記口元対応開口部２４に口元対応メッシュ体２６を設けることにより口元対応開口部２４から髪の毛等が外部に落下するのを防止できる。なお、この実施例では口元対応メッシュ体２６は２枚重ねて二重にして配設されており、口元対応開口部２４から髪の毛等が外部に落下するのをより確実に防止できるようになっている。
図１に示されるように、前記フード本体部１６の両側部にはそれぞれ着用者の耳が対応する耳対応開口部３０，３０が形成され（図面では一方の耳対応開口部３０のみを示す）、これら耳対応開口部３０，３０には耳対応メッシュ体３２がそれぞれ設けられている。なお、この実施例では耳対応メッシュ体３２は２枚重ねて二重にして配設されており、耳元対応開口部３０，３０から髪の毛等が外部に落下するのをより確実に防止できるようになっている。
また、前記フード本体部１６の両側部にはそれぞれ頭部調節用紐３４，３４が取り付けられている。従って、頭部調節用紐３４，３４を使用することにより着用者の頭部の大きさに応じてフード本体部１６をフィットさせてシールド防塵フード１０を着用することができるようになっている。
図１及び図２に示されるように、前記フード本体部１６の下部にはフード本体部１６と共に前記フード体１２を構成するフードスカート部３６が連続して形成されている。このフードスカート部３６は着用者の肩部、胸上部、背中上部を覆うように形成されている。
なお、この実施例においては前記フード本体部１６、シールド保持部形成体２２、フードスカート部３６はポリエステル、ポリエステルと綿の混紡、綿等の適宜材料によって形成されている。
【００１０】
次に、第１実施例のシールド付防塵フード１０の作用について説明する。
実施例のシールド付防塵フード１０は図１に示すような状態で着用する。
シールド付防塵フード１０を着用すると着用者の頭部はフード本体部１６によって完全に覆われる。
これにより、着用者の目元周辺部はシールド１４が対応し、着用者の口元周辺部分は口元対応メッシュ体２６が対応する。
このため、着用者の髪の毛、鼻毛、眉毛、睫毛等が抜けても、髪の毛等はフード体１２によって、眉毛や睫毛等はシールド１４によって、鼻毛等は口元対応メッシュ体２６によってシールド付防塵フード１０の外部に落下したり飛散したりするのを防止することができる。
この結果、シールド付防塵フード１０を着用することによりクリーンさが要求される製造工場等のクリーンさが保たれ、クリーンさが厳しく要求される製造工場等においても十分な役割を果たすことができる。
前記シールド付防塵フード１０には口元開口部２４と口元対応メッシュ体２６が設けられているので普通に呼吸することができる。
また、着用者が口や鼻穴から呼吸をして息は口元対応メッシュ体２６を通してシールド付防塵フード１０の外部に排出されるのでフード本体部１６の内部にこもることはないためシールド１４が曇ることを防止できる。
このため、シールド付防塵フード１０を着用していても息苦しかったりシールド１４が曇ったりしないため、シールド付防塵フード１０を着用していない時とほぼ同様な状態で作業を行うことができるのでシールド付防塵フード１０を着用することにより作業効率が低下するようなことはない。
なお、実施例のシールド付防塵フード１０のフード本体部１６にシールド１４を取り付ける場合は図４に示されるようにシールド１４をフード本体部１６の正面側に配設してからシールド１４の上縁部１４Ａをシールド保持部２０のシールド上縁収容保持部２０Ａに、下縁部１４Ｂをシールド下縁収容保持部２０Ｂに、一側縁部１４Ｃをシールド一側縁収容保持部２０Ｃに、他側縁部１４Ｄをシールド他側縁収容保持部２０Ｄに、それぞれ嵌め込むようにして収容するだけの簡単な作業でシールド１４をシールド保持部２０に簡単かつ迅速に収容することができる。
従って、実施例のシールド付防塵フード１０においてはフード体１２を洗濯等したことによりフード体１２が少し縮んだりしても簡単かつ迅速にシールド１４を取り付けることができる。
【００１１】
図５には本考案に係るシールド付防塵フードの第２実施例が示されている。なお、第１実施例のシールド付防塵フード１０と同一の構成は同一の符号を用いてその説明は省略する。
図５に示されるように第２実施例のシールド付防塵フード４０は前記フード本体部１６の正面であって前記シールド用開口部１８の上方に上部開口部４２が切り欠き形成されている。この上部開口部４２には上部開口部４２を塞ぐように上部開口対応メッシュ体４４が設けられている。なお、この実施例では上部開口対応メッシュ体４４は２枚重ねて二重にして配設されており、上部開口部４２から髪の毛等が外部に落下するのをより確実に防止できるようになっている。
従って、シールド付防塵フード４０においては前記シールド用開口部１８の上方に上部開口部４２を形成し上部開口対応メッシュ体４４を配設したのでシールド付防塵フード４０を着用することにより着用者の頭部に生ずる蒸れ等を防止することができる。
また、上部開口部４２に上部開口対応メッシュ体４４を設けることにより上部開口部４２から髪の毛等が落下するのを防止できる。
なお、他の構成及び作用、効果は第１実施例のシールド付防塵フード１０と同一であるので、その説明は省略する。
【００１２】
なお、実施例では図４に示されるようにフード体１２の正面側からシールド１４をシールド保持部２０に嵌め込むようにして収容するタイプのシールド保持部２０を示したが、このタイプに限定されるものでなく例えばシールド保持部２０の一側又は他側等にスリットを形成し、このスリットからシールド１４をシールド保持部２０に差し込むようにしてシールド保持部２０に収容するタイプにしてもよいことは勿論である。
また、実施例ではシールド保持部形成体２２とフード本体部１６を縫ってシールド保持部形成体２２とフード本体部１６を結合したが、これに限定されるものでなく例えば接着剤でシールド保持部形成体２２をフード本体部１６に結合してもよいことは勿論である。
なお、実施例では口元対応メッシュ体２６、耳対応メッシュ体３２、上部開口対応メッシュ体４４は２枚重ねて二重に配設したが、口元対応メッシュ体２６、耳対応メッシュ体３２、上部開口対応メッシュ体４４は１枚でも、あるいは３枚以上重ねて配設してもよいことは勿論である。
また、実施例ではフード本体部１６の両側部に耳対応開口部３０，３０を形成すると共に耳対応開口部３０，３０に耳対応メッシュ体３２を設けたが、シールド付防塵フードのタイプによっては耳対応開口部３０，３０を形成しなくてよい。
【産業上の利用可能性】
【００１３】
本考案のシールド付防塵フードは、医薬、医療機器、半導体、食品等の製造工場等以外の場所にも使用することができる。
【符号の説明】
【００１４】
１０    シールド付防塵フード
１２    フード体
１４    シールド
１６    フード本体部
１８    シールド用開口部
２０    シールド保持部
２０Ａ  シールド上縁収容保持部
２０Ｂ  シールド下縁収容保持部
２０Ｃ  シールド一側縁収容保持部
２０Ｄ  シールド他側縁収容保持部
２２    シールド保持部形成体
２２Ａ  上辺部
２２Ｂ  下辺部
２２Ｃ  一側辺部
２２Ｄ  他側辺部
２４    口元対応開口部
２６    口元対応メッシュ体
３０    耳対応開口部
３２    耳対応メッシュ体
３４    頭部調節用紐
３６    フードスカート部
【図１】
0003157830.tif 000003
【図２】
0003157830.tif 000004
【図３】
0003157830.tif 000005
【図４】
0003157830.tif 000006
【図５】
0003157830.tif 000007